(57)【要約】【課題】スマートフォン等の携帯型電子機器において、認証精度を高めつつ、短時間での認証を可能にする。【解決手段】撮像素子と、レンズと、前記撮像素子に照射される光量を調整可能な絞り羽根と、前記絞り羽根を駆動する羽根駆動部と、前記羽根駆動部を制御する羽根制御部と、ロック解除処理の際に、前記撮像素子で撮像された画像に基づいて画像認証を行う認証部と、を備え、前記絞り羽根が、前記ロック解除処理前には最小絞り状態に保持された構成とする。【選択図】図２
2020198462.tif 000002
【特許請求の範囲】
【請求項１】
撮像素子と、
レンズと、
前記撮像素子に照射される光量を調整可能な絞り羽根と、
前記絞り羽根を駆動する羽根駆動部と、
前記羽根駆動部を制御する羽根制御部と、
ロック解除処理の際に、前記撮像素子で撮像された画像に基づいて画像認証を行う認証部と、を備え、
前記絞り羽根は、前記ロック解除処理前には最小絞り状態に保持されている、
携帯型電子機器。
【請求項２】
前記羽根制御部は、撮像の際には、前記絞り羽根が開いた状態になるよう前記羽根制御部を作動させる、
請求項１に記載の携帯型電子機器。
【請求項３】
前記絞り羽根は、前記羽根駆動部が無通電のときに前記最小絞り状態となり、
前記ロック解除処理前には、前記羽根駆動部は無通電状態となっている、
請求項１または請求項２に記載の携帯型電子機器。
【請求項４】
オートフォーカス機構を有さない、
請求項１から請求項３のいずれか１項に記載の携帯型電子機器。
【請求項５】
前記羽根制御部は、入力操作がされるまで前記羽根駆動部を無通電状態とし、入力操作がされたとき前記羽根駆動部を通電状態にする、
請求項１から請求項４のいずれか１項に記載の携帯型電子機器。
【請求項６】
前記入力操作がされるまでは、前記羽根制御部に通電がなされ、前記羽根駆動部への通電が停止されたスタンバイモードで作動し、
前記入力操作がされたとき、前記羽根制御部に加え前記羽根駆動部に通電されるアクティブモードで作動する、
請求項５に記載の携帯型電子機器。
【請求項７】
撮像素子、レンズ、前記撮像素子に照射される光量を調整可能な絞り羽根、前記絞り羽根を駆動する羽根駆動部、及び前記羽根駆動部を制御する羽根制御部を含むカメラモジュールと、
画像認証を行う認証部と、を備えた携帯型電子機器における画像認証方法であって、
前記絞り羽根が最小絞り状態になっている前記カメラモジュールを起動するステップと、
前記絞り羽根を最小絞り状態に維持したまま前記撮像素子により画像を撮像するステップと、
前記認証部が前記画像に基づいて画像認証を行うステップと、を含む、
画像認証方法。
【発明の詳細な説明】
【技術分野】
【０００１】
本発明の一態様は、カメラを用いた画像認証を実行可能な携帯型電子機器等に関する。
【背景技術】
【０００２】
従来より、スマートフォンやタブレット機器などの電子機器では、顔認証などの方法によりロックを解除する機能を有するものがある。例えば、特許文献１には、移動通信端末を使用している利用者の正面顔データと認証用サーバに登録した正面顔データを比較し、一致している場合にのみ回線接続するようにした認証方法が開示されている。特許文献２には、顔認証、虹彩認証、及び声紋認証を行ってカメラ付き携帯電話端末の正規利用者を認証する携帯電話端末が開示されている。特許文献３には、可視光を用いた撮像と赤外光
を用いた撮像とを利用して顔認証の精度を高めた認証装置等が開示されている。
【先行技術文献】
【特許文献】
【０００３】
【特許文献１】特開２０００−２３２６８０号公報
【特許文献２】特開２００６−９３９３４号公報
【特許文献３】特開２０１４−７８０５２号公報
【発明の概要】
【発明が解決しようとする課題】
【０００４】
上記のような、顔認証などの方法でロックを解除する機能を有する電子機器では、認証精度を高め、セキュリティ性を高めることが求められる。認証精度を高めるためには、例えばオートフォーカス機構を備えた構成とし、精細な画像を取得する方法がある。しかしこの方法では、オートフォーカスを用いて撮像するのに時間を要することがあり、認証に要する時間が長くなってしまう場合がある。認証精度を高めつつ、短時間での認証を可能とする構成が求められている。
【課題を解決するための手段】
【０００５】
本発明は、上記課題を解決するために次のような手段を採る。なお、以下の説明において、発明の理解を容易にするために図面中の符号等を括弧書きで付記するが、本発明の各構成要素はこれらの付記したものに限定されるものではなく、当業者が技術的に理解しうる範囲にまで広く解釈されるべきものである。
【０００６】
本発明の一の手段は、
撮像素子（４２）と、
レンズと、
前記撮像素子に照射される光量を調整可能な絞り羽根（４３３）と、
前記絞り羽根を駆動する羽根駆動部（４３２）と、
前記羽根駆動部を制御する羽根制御部（４３１）と、
ロック解除処理の際に、前記撮像素子で撮像された画像に基づいて画像認証を行う認証部（１０）と、を備え、
前記絞り羽根は、前記ロック解除処理前には最小絞り状態に保持されている、
携帯型電子機器である。
【０００７】
上記構成の携帯型電子機器によれば、ロック解除処理前に絞り羽根を最小絞り状態にしておくことで、ロック解除処理の撮像時に被写界深度の深い画像を撮影することが出来る。被写界深度が深い画像は、全体的にピントが合ったようにみえ、鮮明な画像となる。このように被写界深度が深い認証画像を撮影することで、画像認証を行なう際に必要な特徴点を適切に取得することができるため、認証精度を高めることが可能となる。また、ロック解除前には最小絞り状態に保持されているため、認証に要する時間を短縮することなどが可能となる。
【０００８】
上記携帯型電子機器において、好ましくは、
前記羽根制御部は、撮像の際には、前記絞り羽根が開いた状態になるよう前記羽根制御部を作動させる。
【０００９】
上記構成の携帯型電子機器によれば、撮像時には絞りが開かれた状態となるため、明るい画像を撮像することが可能になる。
【００１０】
上記携帯型電子機器において、好ましくは、
前記絞り羽根は、前記羽根駆動部が無通電のときに前記最小絞り状態となり、
前記ロック解除処理前には、前記羽根駆動部は無通電状態となっている。
【００１１】
上記構成の携帯型電子機器によれば、ロック解除処理前に、羽根駆動部を無通電状態にしたまま、絞り羽根を最小絞り状態に維持することができる。そして、ロック解除処理時には、絞り羽根を最小絞り状態としたまま撮像を行うことができる。これにより、ロック状態における消費電力を低減させつつ、認証精度を高め、認証に要する時間を短縮することなどが可能となる。
【００１２】
上記携帯型電子機器において、好ましくは、
オートフォーカス機構を有さない。
【００１３】
上記構成の携帯型電子機器によれば、オートフォーカス機構を有さず、絞り機構を有する構成としているため、オートフォーカス機構を有する構成と比較して簡易な構成にすることができる。また、絞り機構の絞り羽根を絞ることで被写界深度を深めることができ、オートフォーカスを有さない構成でも鮮明な画像を撮影することができる。さらに、撮像時に取り込む光量を調整することが可能になる。
【００１４】
上記携帯型電子機器において、好ましくは、
前記羽根制御部は、入力操作がされるまで前記羽根駆動部を無通電状態とし、入力操作がされたとき前記羽根駆動部を通電状態にする。
【００１５】
上記構成の携帯型電子機器によれば、入力操作がされるまでは省消費電力状態とし、入力操作がされてから羽根駆動部により絞り羽根を駆動して絞りを調整可能な状態とすることができる。
【００１６】
上記携帯型電子機器において、好ましくは、
前記入力操作がされるまでは、前記羽根制御部に通電がなされ、前記羽根駆動部への通電が停止されたスタンバイモードで作動し、
前記入力操作がされたとき、前記羽根制御部に加え前記羽根駆動部に通電されるアクティブモードで作動する。
【００１７】
または、本発明の他の手段は、
撮像素子、レンズ、前記撮像素子に照射される光量を調整可能な絞り羽根、前記絞り羽根を駆動する羽根駆動部、及び前記羽根駆動部を制御する羽根制御部を含むカメラモジュールと、
画像認証を行う認証部と、を備えた携帯型電子機器における画像認証方法であって、
前記絞り羽根が最小絞り状態になっている前記カメラモジュールを起動するステップと、
前記絞り羽根を最小絞り状態に維持したまま前記撮像素子により画像を撮像するステップと、
前記認証部が前記画像に基づいて画像認証を行うステップと、を含む、
画像認証方法である。
【００１８】
上記の画像認証方法によれば、例えばロック解除処理時において、最小絞り状態に維持された絞り羽根を作動させることなく、被写界深度の深い画像を撮影することが出来る。被写界深度が深い画像は、全体的にピントが合ったようにみえ、鮮明な画像となる。このように被写界深度が深い認証画像を撮影することで、画像認証を行なう際に必要な特徴点を適切に取得することができるため、認証精度を高めることが可能となる。また、ロック解除前には最小絞り状態に保持されているため、認証に要する時間を短縮することなどが可能となる。
【図面の簡単な説明】
【００１９】
【図１】図１は、実施形態のスマートフォンの構成を示すブロック図である。
【図２】図２は、実施形態１のスマートフォンのロック解除処理を示すフローチャートである。
【図３】図３は、実施形態２のスマートフォンの撮像処理を示すフローチャートである。
【図４】図４は、実施形態３のスマートフォンの撮像処理を示すフローチャートである。
【発明を実施するための形態】
【００２０】
本発明の携帯型電子機器は、例えばスマートフォンにおいて絞り機構を備える構成とし、ロック状態を解除するための顔認証の前に絞り機構を最小絞り状態にしておき、絞り状態を最小絞り状態に維持したまま顔認証のための撮像を行う構成としている点を特徴のひとつとしている。これにより、短時間でのロック解除処理を可能にすることなどを目的としている。
【００２１】
本発明の携帯型電子機器について、以下の構成に従って図面を参照しながら具体的に説明する。ただし、以下で説明する実施形態はあくまで本発明の一例にすぎず、本発明の技術的範囲を限定的に解釈させるものではない。なお、各図面において、同一の構成要素には同一の符号を付しており、その説明を省略する場合がある。
１．実施形態１
２．実施形態２
３．実施形態３
４．本発明の特徴
５．補足事項
【００２２】
＜１．実施形態１＞
本実施形態では、携帯型電子機器の具体例としてスマートフォンを挙げて説明する。ただし、本発明の携帯型電子機器はスマートフォンに限定されるものではなく、タブレット機器、ノートＰＣ、その他の携帯型電子機器に適用可能である。本実施形態では、スマートフォンの構成、及びロック解除処理に特徴がある。
【００２３】
＜スマートフォンの構成＞
図１は、本実施形態のスマートフォン１の構成を示す図である。図１に示されるように、スマートフォン１は、プロセッサ１０、メモリ１１、ディスプレイ２０、ディスプレイ制御部２１、タッチパネル３０、タッチパネル制御部３１、及びカメラモジュール４０を含んで構成される。カメラモジュール４０は、制御部４１、撮像素子４２、絞り機構４３、及びレンズ（図示省略）を含んで構成される。絞り機構４３は、羽根制御部４３１、羽根駆動部４３２、及び絞り羽根４３３を含んで構成される。
【００２４】
＜プロセッサ１０＞
プロセッサ１０は、メモリ１１、ディスプレイ制御部２１、タッチパネル制御部３１、カメラモジュール４０の制御部４１、及び絞り機構４３の羽根制御部４３１を含むスマートフォン１の全体の処理を制御する。プロセッサ１０は、例えば半導体集積回路で形成されたＣＰＵ（中央演算装置）などである。プロセッサ１０はスマートフォン１での各種処理を行うが、本明細書では、実施形態における特徴的な処理についての説明を行い、その他の既知の処理については説明を省略する。プロセッサ１０の具体的な作動については後述する。
【００２５】
＜メモリ１１＞
メモリ１１は、書き換え可能なＲＡＭなどであって、プロセッサ１０の処理により種々の情報を記憶し、記憶した情報を出力することができる。メモリ１１は、プロセッサ１０と同一の半導体集積回路の一部であってもよいし、プロセッサ１０とは別構成であってもよい。
【００２６】
メモリ１１は、例えば、顔認証に用いられる登録ユーザの顔の特徴点に関するデータ等を記憶する。また、メモリ１１は、スマートフォン１で行われる種々の処理に関するソフトウェア、及び画像データ等を記憶する。
【００２７】
＜ディスプレイ２０、ディスプレイ制御部２１＞
ディスプレイ２０は、板状に形成されたスマートフォンの一方側の面に配置された表示装置であって、ユーザに視認可能な態様で画像を表示する。ディスプレイ２０は、液晶表示装置または有機ＥＬ表示装置等であるが、これらに限定されるものではない。ディスプレイ制御部２１は、ディスプレイ２０に表示される画像を制御する。
【００２８】
＜タッチパネル３０、タッチパネル制御部３１＞
タッチパネル３０は、ディスプレイ２０の表面に配置されたフィルム等を含んで構成され、ユーザが接触したことを検知可能に構成される。タッチパネル３０は、入力検出機構の一例である。タッチパネル３０は、検出されたユーザの操作を、タッチパネル制御部３１を介してプロセッサ１０に出力する。タッチパネル制御部３１は、タッチパネル３０の作動を制御する。
【００２９】
＜カメラモジュール４０＞
カメラモジュール４０は、制御部４１、撮像素子４２、及び絞り機構４３を含んで構成される。カメラモジュール４０は、省電力モードまたは通常モードで作動する。省電力モードと通常モードとでは、電力が供給されている範囲が異なっており、これにより省電力モードの方が消費電力が少なくなる。省電力モードは、スリープモードまたはスタンバイモードとも呼ばれる。スリープモードは、スタンバイモードと比較して、電力が供給されている範囲が小さくなっており、スタンバイモードよりもさらに消費電力が少なくなっている。
【００３０】
＜撮像素子４２＞
撮像素子４２は、例えばＣＭＯＳセンサまたはＣＣＤなどの光電変換素子であって、レンズを介して照射された光を検知して電気信号に変換し、制御部４１に出力する。撮像素子４２と、撮像対象となる被写体との間には、１枚以上のレンズ（図示省略）、及び絞り羽根４３３、及びＮＤフィルタ（図示省略）などが配置される。また、撮像素子４２と被写体との間には、シャッタ羽根が配置されてもよい。
【００３１】
レンズは、被写体側から入射してきた光を屈折させながら撮像素子４２側に進行させる。ＮＤフィルタは、撮像素子４２側に進行する光の光量の一部を遮蔽する。ＮＤフィルタは、後述の絞り羽根４３３と同様に、被写体から撮像素子４２に向かう光路に移動自在に配置される。ＮＤフィルタは、制御部４１により制御されることで、光路に挿入され、または光路から抜去される。
【００３２】
＜制御部４１＞
制御部４１は、撮像素子４２の作動を制御する。制御部４１は、撮像素子４２から入力された電気信号を画像データに変換してプロセッサ１０に出力する。また、制御部４１は、カメラモジュール４０における撮像等の処理を制御する。
【００３３】
＜絞り機構４３＞
絞り機構４３は、羽根制御部４３１、羽根駆動部４３２、及び絞り羽根４３３を含んで構成される。絞り機構４３は、スリープモード、スタンバイモード、及びアクティブモードで作動する。絞り機構４における消費電力は、スリープモードが最も少なく、アクティブモードが最も多くなる。スリープモードでは、羽根制御部４３１の一部にのみ電力が供給され、それ以外の箇所には電力供給が停止している。つまり、羽根制御部４３１の他の部分及び羽根駆動部４３２は無通電状態になっている。スタンバイモードでは、羽根制御部４３１には電力が供給されているが、羽根駆動部４３２には電力供給が停止して無通電状態になっている。アクティブモードでは、羽根制御部４３１及び羽根駆動部４３２を含む全体に電力が供給されている。
【００３４】
＜羽根制御部４３１＞
羽根制御部４３１は、羽根駆動部４３２の作動を制御する。
【００３５】
＜羽根駆動部４３２＞
羽根駆動部４３２は、例えばＶＣＭ（Ｖｏｉｃｅ  Ｃｏｉｌ  Ｍｏｔｏｒ）などのモータであって、絞り羽根４３３を駆動する。羽根駆動部４３２は、ＶＣＭ以外の駆動機構であってもよい。
【００３６】
＜絞り羽根４３３＞
絞り羽根４３３は、被写体から撮像素子４２に向かう光路に配置される。絞り羽根４３３は、複数の羽根部材を含んで構成される。絞り羽根４３は、複数の羽根部材により形成された開口部の開口量を調整可能に構成される。絞り羽根４３３の開口部の開口量は、羽根制御部４３１が羽根駆動部４３２を作動させることで調整される。絞り羽根４３３が絞られると、すなわち開口部の開口量が小さくなると、通過する光量が減少し、撮像素子４２に照射される光量が減少する。逆に絞り羽根４３３が開かれると、すなわち開口部の開口量が大きくなると、通過する光量が増加し、撮像素子４２に照射される光量が増加する。絞り羽根４３３は、少なくとも最小絞り状態と最大絞り状態との２つの状態を取り、最小絞り状態では開口量が最小となり、最大絞り状態では開口量が最大となる。絞り羽根４３３の開口部の開口量は、最小絞り状態と最大絞り状態との２状態に限定されてもよいし、それ以外の状態となってもよい。
【００３７】
本実施形態では、スマートフォン１がロック状態と通常状態とで変化する。スマートフォン１の状態は、プロセッサ１０により制御される。スマートフォン１がロック状態のとき、少なくともディスプレイ２０を含む一部が作動を停止しており、低消費電力状態になっている。このとき、カメラモジュール４０は省電力モード（スリープモードまたはスタンバイモード）になっており、絞り機構４３はスリープモードになっている。ユーザがスマートフォン１を使用しようとするとき、プロセッサ１０は、スマートフォン１をロック状態から通常状態に切り替えるため、顔認証によるロック解除処理を実行する。
【００３８】
＜ロック解除処理＞
図２は、本実施形態のスマートフォン１で実行されるロック解除処理を示すフローチャートである。
【００３９】
＜Ｓ１００＞
ロック解除処理が開始すると、プロセッサ１０は、カメラモジュール４０を起動して、省電力モードから通常モード（アクティブモード）にする。このとき、絞り機構４３はスリープモードのまま変化せず、絞り機構４３の絞り羽根４３３は最小絞りのまま維持される（Ｓ１００）。つまり、絞り機構４３は、ロック解除処理の前後において、羽根制御部４３１の一部にのみ電力が供給され、羽根制御部４３１の他の部分及び羽根駆動部４３２は無通電状態のままとなる。
【００４０】
＜Ｓ１０１＞
次に、制御部４１は撮像素子４２を作動させて被写体を撮像する。ここでは、ユーザの顔を撮像する。このとき、絞り羽根４３３は最小絞り状態であるため被写界深度が深くなり、全体的にピントが合っているようにみえるため、鮮明な画像が撮像される。制御部４１は、撮像した画像のデータをプロセッサ１０に出力する。
【００４１】
＜Ｓ１１０＞
次に、プロセッサ１０は、撮像した顔画像のデータと、メモリ１１に予め記憶された顔認証用データとを比較して顔認証を行う。ここでの顔認証は既知の手法が用いられる。
【００４２】
＜Ｓ１１１＞
顔認証に失敗したら（Ｓ１１０でＮ）、プロセッサ１０は、ユーザに認証が失敗したことを通知し（Ｓ１１１）、Ｓ１０１の処理に戻る。ユーザへの認証失敗の通知は、ディスプレイ２０に認証に失敗したことを表示することで行われる。認証失敗の通知は、音声またはＬＥＤ等で行ってもよい。
【００４３】
＜Ｓ１１２、Ｓ１１３＞
顔認証に成功したら（Ｓ１１０でＹ）、スマートフォン１のロック状態を解除して、通常状態にする（Ｓ１１２）。これにより、ユーザがスマートフォン１を利用可能な状態になる。その後、プロセッサ１０は、カメラモジュール４０を通常モード（アクティブモード）から省電力モード（スタンバイモード）に変更する（Ｓ１１３）。これにより、ロック解除処理が終了する。
【００４４】
一方、ロック解除処理ではない通常の撮像の際には、絞り羽根４３３を開いて取り込む光量を増加させ、明るい画像を取得することができる。
【００４５】
＜２．実施形態２＞
次に、本発明の実施形態２について説明する。本実施形態のスマートフォン１は、実施形態１のスマートフォン１と略同じ構成であるが、その作動の一部が異なる。特に本実施形態のスマートフォン１は、スマートフォン１が通常状態で作動中に、ユーザが撮像を行う際の撮像処理に特徴がある。ユーザは、例えばカメラで撮像するためのアプリケーションソフトをスマートフォン１で起動して、カメラモジュール４０を用いた撮像を行う。
【００４６】
＜撮像処理＞
図３は、本実施形態のスマートフォン１で実行される撮像処理を示すフローチャートである。
【００４７】
＜Ｓ２００＞
撮像処理が開始されると、制御部４１は、撮像素子４２を作動させて撮像対象の輝度情報を取得する（Ｓ２００）。制御部４１は、取得した輝度情報をプロセッサ１０に出力する。
【００４８】
＜Ｓ２１０、Ｓ２１１＞
次に、プロセッサ１０は、輝度情報に基づいて、撮像対象となる被写体と、その背景の輝度とを比較し、背景に対して被写体が暗すぎないかを確認する（Ｓ２１０）。背景に対して被写体が暗すぎた場合（Ｓ２１０でＹ）、プロセッサ１０は羽根制御部４３１を介して羽根駆動部４３２を作動させ、絞り羽根４３３を開く（Ｓ２１１）。これにより、撮像素子４２に取り込まれる光量が増加し、被写体をより明るく取得可能な状態となる。
【００４９】
＜Ｓ２２０、Ｓ２２１＞
次に、プロセッサ１０は、輝度情報に基づいて、撮像対象となる被写体と、その背景の輝度とを比較し、背景に対して被写体が明るすぎないかを確認する（Ｓ２２０）。背景に対して被写体が明るすぎた場合（Ｓ２２０でＹ）、プロセッサ１０は羽根制御部４３１を介して羽根駆動部４３２を作動させ、絞り羽根４３３を絞る（Ｓ２２１）。これにより、撮像素子４２に取り込まれる光量が減少し、被写体をより暗く取得可能な状態となる。
【００５０】
＜Ｓ２３０、Ｓ２３１＞
次に、プロセッサ１０は、輝度情報に基づいて、撮像対象となる被写体と、その背景の輝度とを比較し、背景に対して被写体が明るすぎないかを再度確認する（Ｓ２３０）。背景に対して被写体が明るすぎた場合（Ｓ２３０でＹ）、プロセッサ１０はＮＤフィルタを光路に挿入させて、撮像素子４２に向かって通過する光量を減少させる。これにより、撮像素子４２に取り込まれる光量がさらに減少し、被写体をさらに暗く取得可能な状態となる。
【００５１】
＜Ｓ２４０＞
上記処理により、撮像に適した明るさに被写体がなるよう、撮像素子４２に取り込まれる光量を調整したうえで、制御部４１は撮像素子４２による被写体の撮像を行う。制御部４１は、撮像した画像をプロセッサ１０に出力する。
【００５２】
上記の処理により、明るさを適切に調整したうえで、被写体を撮像することが可能となる。なお、上記の処理では、絞り羽根４３３を開く処理及び閉じる処理、並びにＮＤフィルタを挿入する処理をそれぞれ１回ずつ行ったが、これらの処理をそれぞれ複数回繰り返す処理としてもよい。
【００５３】
＜３．実施形態３＞
次に、本発明の実施形態３について説明する。本実施形態のスマートフォン１は、実施形態１のスマートフォン１と略同じ構成であるが、その作動の一部が異なる。特に本実施形態のスマートフォン１は、スマートフォン１が通常状態で作動中に、ユーザが撮像を行う際の撮像処理に特徴がある。
【００５４】
＜撮像処理＞
図４は、本実施形態のスマートフォン１で実行される撮像処理を示すフローチャートである。
【００５５】
＜Ｓ３００＞
撮像処理が開始されると、プロセッサ１０は、カメラモジュール４０を起動して、省電力モード（スタンバイモード）から通常モード（アクティブモード）に変更する。プロセッサ１０はさらに、カメラモジュール４０の絞り機構４３をスリープモードからスタンバイモードに変更する（Ｓ３００）。これにより、絞り機構４３の羽根制御部４３１に通電されるが、羽根駆動部４３２は無通電状態のまま維持される。
【００５６】
＜Ｓ３０１＞
次に、制御部４１は、撮像素子４２を作動させて被写体の画像を取得し、プロセッサ１０に出力する。プロセッサ１０は、この画像を、ディスプレイ制御部２１を介してディスプレイ２０に表示させる（Ｓ３０１）。
【００５７】
＜Ｓ３１０、Ｓ３１１、Ｓ３１２＞
ここで、ディスプレイ２０に表示された画像において明るさを調整したい箇所にユーザが触ると、ユーザが触れた箇所の明るさを適切な明るさに調整する処理が行われる。具体的には、タッチパネル制御部３１は、撮像する画像の明るさを調整する入力操作をユーザが行ったかどうかを検出する（Ｓ３１０）。ユーザによる入力操作が検出されると（Ｓ３１０でＹ）、プロセッサ１０は絞り機構４３をスタンバイモードからアクティブモードに変更する（Ｓ３１１）。これにより、絞り機構４３の羽根駆動部４３２が通電状態になる。さらに、羽根制御部４３１は、羽根駆動部４３２を作動させて絞り羽根４３３の状態を調整し、ユーザが接触した箇所の明るさが所定の明るさになるよう調整する。すなわち、羽根制御部４３１は、ユーザが接触した箇所が明るすぎた場合には、絞り羽根４３３を絞って撮像素子４２に入射する光量を減少させ、ユーザが接触した箇所が暗すぎた場合には、絞り羽根４３３を開いて撮像素子４２に入射する光量を増加させるよう、羽根駆動部４３２を作動させる。
【００５８】
＜Ｓ３２０＞
その後、ユーザが撮像操作を行うと、プロセッサ１０は制御部４１を介して撮像素子４２を作動させ、被写体を撮像する（Ｓ３２０）。
【００５９】
上記の処理により、ディスプレイに表示された被写体の画像上の、ユーザが接触した箇所の明るさを適切に調整したうえで、被写体を撮像することが可能となる。
【００６０】
＜４．本発明の特徴＞
以上、実施形態１〜３を例示して説明した本発明は、以下のような特徴を有する。
【００６１】
実施形態１のスマートフォン１では、ロック解除処理前には絞り羽根４３３が最小絞り状態に保持されている。そして、ロック解除処理において撮像を行う場合には絞り羽根４３３を最小絞り状態としたまま撮像しているため、絞り羽根４３３を作動させることなく被写界深度を深くし、全体的にピントがあったようにみえる状態にすることができる。この状態で撮像することで、鮮明な画像を取得可能であり、画像認証に必要な特徴点を適切に取得することができるため、顔認証の認証精度を高めることが可能となる。また、ロック解除前には最小絞り状態に保持されているため、顔認証に要する時間を短縮することなどが可能となる。
【００６２】
なお、実施形態１では、ロック解除処理として顔認証を行ったが、顔以外の画像認証を行ってもよい。例えば、顔認証に代えて、撮像画像を用いた掌紋認証、または指紋認証などを用いた画像認証を行ってもよい。
【００６３】
また、実施形態１のスマートフォン１では、撮像の際には絞り羽根４３３が開かれた状態にすることで、取り込む光量を増加させた明るい画像を取得することができる。
【００６４】
また、実施形態１のスマートフォン１では、羽根駆動部４３２が無通電のときに絞り羽根４３３が最小絞り状態となるため、ロック解除処理前後のスリープモードでは、羽根駆動部４３２が無通電状態になっている。これにより、ロック解除処理前に、羽根駆動部４３２を無通電状態にしたまま、絞り羽根４３３を最小絞り状態に維持することができる。そして、ロック解除処理時には、絞り羽根４３３を最小絞り状態としたまま撮像を行うことができる。これにより、ロック状態における消費電力を低減させつつ、認証精度を高め、認証に要する時間を短縮することなどが可能となる。
【００６５】
また、実施形態１のスマートフォン１は、オートフォーカス機構を有さず、絞り機構４３を有する構成としているため、オートフォーカス機構を有する構成と比較して簡易な構成にすることができる。また、絞り機構４３の絞り羽根４３３を絞ることで被写界深度を深めることができ、オートフォーカスを有さない構成でも鮮明な画像を撮影することができる。さらに、撮像時に取り込む光量を調整することが可能になる。
【００６６】
また、実施形態３のスマートフォン１では、ユーザによる入力操作がされるまで羽根駆動部４３２を無通電状態にし、入力操作がなされたときに羽根駆動部４３２を通電状態にしている。そのため、ユーザによる入力操作がなされた後に絞り羽根４３３を駆動可能にし、絞りを調整可能な状態にすることができる。また、絞り機構４３は、ユーザによる入力処理がなされるまではスタンバイモードで作動し、入力操作がなされたときにアクティブモードで作動するようにしてもよい。
【００６７】
＜４．補足事項＞
以上、本発明の複数の実施形態についての具体的な説明を行った。これらの実施形態は、あくまで本発明の一構成例及び一作動例としての具体例であって、本発明の範囲はこれらの実施形態に留まらず、同様の技術思想に基づいて当業者が把握可能な範囲にまで広く解釈されるものである。
【００６８】
例えば、実施形態１〜３の処理は、互いに組み合わせて実行されてもよい。具体的には、撮像の際に、実施形態２の処理と実施形態３の処理とを組み合わせた処理を行ってもよい。
【産業上の利用可能性】
【００６９】
本発明の携帯型電子機器は、顔認証等の画像認証によりロック解除を行うスマートフォン等に好適に適用される。
【符号の説明】
【００７０】
１…スマートフォン
１０…プロセッサ
１１…メモリ
２０…ディスプレイ
２１…ディスプレイ制御部
３０…タッチパネル
３１…タッチパネル制御部
４０…カメラモジュール
４１…制御部
４２…撮像素子
４３…絞り機構
４３１…羽根制御部
４３２…羽根駆動部
４３３…絞り羽根
【図１】
2020198462.tif 000003
【図２】
2020198462.tif 000004
【図３】
2020198462.tif 000005
【図４】
2020198462.tif 000006